(57)【要約】【課題】            調理キャビネット内といった比較的狭隘な空間を脱臭雰囲気にすることができる小型で手軽に設置できる脱臭送風機を得る。【解決手段】        吸込口５から直線状に続き、遠心ディフューザー通路７を経て半径方向に開口する吹出し口８に通ずる通風路を形成する本体ケーシング１の通風路の吸込口５に脱臭フィルター１１を設け、この脱臭フィルター１１を迂回するバイパス吸込口１２を設け、通風路の吸込口５から吹出し口８に向う気流を形成する軸流式送風機１３を組込む。【選択図】          図３
2008185010.tif 000002
【特許請求の範囲】
【請求項１】
吸込口から吹出し口に通ずる通風路を形成する本体ケーシングの前記通風路の前記吸込口に脱臭フィルターを設け、この脱臭フィルターを迂回するバイパス吸込口を設け、前記通風路の前記吸込口から前記吹出し口に向う気流を形成する軸流式送風機を組込んだ脱臭送風機。
【請求項２】
請求項１に記載の脱臭送風機であって、通風路が吸込口から直線状に続き、遠心ディフューザー通路を経て半径方向に開口する吹出し口に通ずる構成である脱臭送風機。
【請求項３】
請求項２に記載の脱臭送風機であって、吹出し口を二方向以上に設けた脱臭送風機。
【請求項４】
請求項２又は請求項３のいずれかに記載の脱臭送風機であって、吸込口とバイパス吸込口を異なる方向に設けた脱臭送風機。
【請求項５】
請求項２〜請求項４までのいずれかに記載の脱臭送風機であって、軸流式送風機の回転軸に対して垂直方向と水平方向のいずれにも設置に供する設置面を備えている脱臭送風機。
【請求項６】
請求項５に記載の脱臭送風機であって、吸込口及び吹出し口の周辺にその吸込口及び吹出し口のスペースを保持する凸部を設けた脱臭送風機。
【請求項７】
請求項１〜請求項６までのいずれかに記載の脱臭送風機であって、バイパス吸込口の幅を、１２ｍｍを超えない寸法とした脱臭送風機。
【請求項８】
請求項１〜請求項７までのいずれかに記載の脱臭送風機であって、脱臭フィルターを抜き差しにより着脱可能のフィルター枠に装着し、前記フィルター枠の厚み及び抜き差しする開口部の幅を、１２ｍｍを超えない寸法とした脱臭送風機。
【発明の詳細な説明】
【技術分野】
【０００１】
本発明は、台所に設置される調理キャビネット内等、比較的狭隘な空間を脱臭雰囲気にする脱臭送風機に関するものである。
【背景技術】
【０００２】
台所に設置される流し台やレンジ台などの調理キャビネット内は調理器具、調味料など調味用品の収納スペースとして使われ、カビ臭を含む種々の臭気が滞り易い。流し台の収納スペースを脱臭する脱臭装置として、特許文献１に示されているように、シンクに繋がる排水パイプを覆う筒状のカバー枠の内壁に脱臭シートを設け、ファンをカバー枠内に設けたものがある。調理キャビネットの脱臭とは少し異なるが、オゾンランプと殺菌灯を設けファンにより空気を循環させるようにした脱臭殺菌収納庫や下駄箱も開発されている（特許文献２及び特許文献３参照）。
【０００３】
【特許文献１】特開平１０−２７２０２５号公報
【特許文献２】特開平０８−２１４９６０号公報
【特許文献３】特開２００１−３１４２５０号公報
【発明の開示】
【発明が解決しようとする課題】
【０００４】
特許文献１に示されている脱臭装置は、シンクに繋がる排水パイプからの下水の臭気や収納した食材からの臭気を脱臭しようとするものであるが、排水パイプといっても直管ではなくトラップを含む屈曲管であり、これを覆うカバー枠は結構嵩張り、収納スペースを確保したまま簡易に設けることはできない。現状では調理キャビネット内の脱臭には市販の脱臭剤や除湿剤を収納スペースに設置することで対処している。しかしながら、この方法ではその効果は殆どない。すなわち、脱臭剤や除湿剤が効果を発揮するのは置かれた周囲だけであって、空気が淀んでいる収納スペースの大半は脱臭も除湿もされないままである。とくに、なべや調味料が収納されている状態では収納スペースの空気の淀みには甚だしいものがある。
【０００５】
本発明は、上記した問題点を解決するためになされたものであり、その課題とするところは、脱臭剤の設置と同等の手軽さで設置でき、調理キャビネット内といった比較的狭隘な空間を脱臭雰囲気にすることができる小型の脱臭送風機を得ることであり、その設置性の向上や安全性の向上を図ることである。
【課題を解決するための手段】
【０００６】
上記課題を解決するために本発明は、吸込口から直線状に続き、遠心ディフューザー通路を経て半径方向に開口する吹出し口に通ずる通風路を形成する本体ケーシングの通風路の吸込口に脱臭フィルターを設け、この脱臭フィルターを迂回するバイパス吸込口を設け、通風路の吸込口から吹出し口に向う気流を形成する軸流式送風機を組込む手段を採用する。
【発明の効果】
【０００７】
本発明によれば、脱臭フィルターを通過する空気と通過しない空気が軸流式送風機に吸込まれ、遠心ディフューザー通路により静圧が向上して半径方向に吹出し口から吹出される。脱臭フィルターの圧力損失が高くなっても吹出し風速は、バイパス吸込口からの吸込み空気もあり、収納スペースを十分に攪拌できる速さが確保される。すなわち、脱臭剤の設置と同等の手軽さで設置でき、調理キャビネット内といった比較的狭隘な空間を脱臭雰囲気にすることができる小型の脱臭送風機となる。
【発明を実施するための最良の形態】
【０００８】
本発明の脱臭送風機は、台所に設置される流し台やレンジ台などの調理キャビネット内等、比較的狭隘な空間を脱臭雰囲気にするものである。本体ケーシングは、前部のグリルフレームと後部のモーターフレームで風洞を挟んだ構成である。本体ケーシングにはグリルフレームの前面の、吸込口から風洞で構成される直線状の風路に続き、モーターフレーム前部と風洞後部で構成される遠心ディフューザー通路を経て半径方向に開口するモーターフレームに設けられた吹出し口に通ずる通風路が形成されている。吹出し口は、異なる方向に複数設けられている。本体ケーシングの通風路の吸込口の内側には、フィルター枠で保持された脱臭フィルターが抜き差しにより脱着可能に設けられている。グリルフレームの吸込口の付近（二方向の側方）には、脱臭フィルターを迂回するスリット状のバイパス吸込口が対向側に一つずつ設けられている。モーターフレームには通風路の吸込口から吹出し口に向う気流を形成する軸流式送風機が、その羽根車が風洞内で回転するように組込まれている。
【０００９】
本発明によれば、脱臭フィルターを通過する空気と通過しない空気が風洞で回転する軸流式送風機の羽根車に軸方向から吸込まれ、遠心ディフューザー通路により静圧が向上して半径方向に吹出し口から吹出される。脱臭フィルターに塵埃が付着するなどして圧力損失が高くなっても吹出し風速は、バイパス吸込口からの吸込み空気も混ざり、収納スペースを十分に攪拌できる速さが確保される。脱臭剤の設置と同等の手軽さで設置でき、吹出し口の一つがなべ等の障害物でその吹出しが妨害されても他の吹出し口から吹出される気流で調理キャビネット内の空気を攪拌し、循環させることができる。設置場所も流し台キャビネットの排水管の背面といったデッドスペースを利用でき、収納スペースを実質的に狭くしない。臭気は、空気の滞りによって増長されるが、バイパス吸込口からの空気が加わり、臭気を防ぐ十分な攪拌機能を維持でき、比較的狭隘な空間を脱臭雰囲気にすることができる。
【００１０】
実施の形態１．
図１は、本実施の形態の脱臭送風機を示す斜視図、図２は、同じく脱臭送風機の側断面図、図３は、脱臭送風機の分解斜視図、図４は、脱臭フィルターの着脱を示す斜視図、図５は、三方向吹出しの場合の送風性能を比較して示す説明図、図６は、二方向吹出しの場合の送風性能を比較して示す説明図、図７〜図9は、３方向吹出しの場合で調理キャビネットの背面側中央の床に設置した場合であり、図７は、側面から見た調理キャビネット内の気流の流れを示す側面図、図８は、正面から見た調理キャビネット内の気流の流れを示す正面図、図９は、上面から見た調理キャビネット内の気流の流れを示す平面図、図１０〜図１２は、二方向吹出しの場合で、調理キャビネットの背面側の右側床面に設置した場合で、図１０は、側面から見た調理キャビネット内の気流の流れを示す側面図、図１１は、正面から見た調理キャビネット内の気流の流れを示す正面図、図１２は、上面から見た調理キャビネット内の気流の流れを示す平面図、図１３は、他の形態を示す脱臭送風機の斜視図である。
【００１１】
本実施の形態の脱臭送風機は、台所に設置される流し台やレンジ台などの調理キャビネット内等、比較的狭隘な空間を脱臭雰囲気にするものである。本体ケーシング１は、略六面体に構成され、前部のグリルフレーム２と後部のモーターフレーム３で中央に風洞４を挟んだ構成である。本体ケーシング１にはグリルフレーム２の前面の、吸込口５から風洞４で構成される直線状の風路に続き、モーターフレーム３前部と風洞４後部のベルマウス６で構成される遠心ディフューザー通路７を経て半径方向に開口するモーターフレーム３に設けられた吹出し口８に通ずる通風路が形成されている。吹出し口８は、モーターフレーム３の三側面（二側面でも四側面でも良い）にそれぞれ設けられている。グリルフレーム２には一側にスリット状の開口部９が形成され、この開口部９に吸込口５の内側に重なる、フィルター枠１０で保持された脱臭フィルター１１が抜き差しにより脱着可能に設けられている。
【００１２】
グリルフレーム２の吸込口５の付近（二方向の側方、三方向の側面でも四方向の側面でも良い）には、脱臭フィルター１１より後方に脱臭フィルター１１を迂回するスリット状のバイパス吸込口１２が対向側に一つずつ設けられている。モーターフレーム３には通風路の吸込口５から吹出し口８に向う気流を形成する軸流式送風機１３が、その羽根車１４が風洞４内で回転するように組込まれている。軸流式送風機１３のモーター１５は、モーターフレーム３の後部に設けられた取付部に取付けられ、羽根車１４側の取付部は、中央が円錐状に膨らみ、吹出し口８に向って平面部で続く遠心ディフューザー通路７のガイド面１６として構成されている。モーターフレーム３の取付部に取付けられたモーター１５の背面はモーターカバー１７が被せられ、平面になっている。
【００１３】
脱臭フィルター１１を保持するフィルター枠１０の厚み寸法は、１０ｍｍで、これを抜き差しする開口部９の幅寸法は、１１ｍｍである。フィルター枠１０は大人が脱着するため、大人の指が入らない寸法としては１２ｍｍを超えない寸法とすれば良い。また、バイパス吸込口１２の幅寸法についても、１２ｍｍを超えない寸法とし、いずれも誤って指が入らないように安全性が保たれている。吸込口５も吹出し口８も狭い間隔のグリルで異物の侵入等が回避されている。なお、図１３に示すように、吸込口５の付近、バイパス吸込口１２の付近、吹出し口８の付近に、これらの開口部を収納物や設置部の壁面で塞がないようにスペースを保持する凸部１８を設けることにより、例えば、吸込口５を下向きに設置したり、モーターカバー１７を下にして設置したり、本体ケーシング１の六面のいずれも設置面として設置することができる。
【００１４】
この脱臭送風機では、脱臭フィルター１１を通過する空気と通過しない空気が風洞４で回転する軸流式送風機１３の羽根車１４に軸方向から吸込まれ、遠心ディフューザー通路７により滑らかに半径方向に気流の向きが変えられ、静圧も向上して吹出し口８から吹出される。脱臭フィルター１１に塵埃が付着するなどして圧力損失が高くなっても吹出し風速は、バイパス吸込口１２からの吸込み空気も混ざり、収納スペース１９を十分に攪拌できる速さが確保される。脱臭剤の設置と同等の手軽さで設置でき、吹出し口８の一つがなべ等の障害物でその吹出しが妨害されても他の吹出し口８から吹出される気流で調理キャビネット内の空気を攪拌し、循環させることができる。設置場所も流し台キャビネットの排水管の背面といったデッドスペースを利用でき、収納スペース１９を実質的に狭くしない。臭気は、空気の滞りによって増長されるが、バイパス吸込口１２からの空気が加わり、臭気を防ぐ十分な攪拌機能を維持でき、比較的狭隘な空間を脱臭雰囲気にすることができる。
【００１５】
この脱臭送風機の送風性能、騒音特性、脱臭フィルター圧力損失の特性について図５、図６によって詳述する。脱臭送風機の本体ケーシング１の大きさは、１１０ｍｍ角の立方体、軸流式送風機１３の大きさは、外径φ８５で軸方向寸法は３７ｍｍ、脱臭フィルター１１の大きさは、９５ｍｍ角で厚さ５ｍｍである。吸込口５は４９ｃｍ２、吹出し口８は５９ｃｍ２、バイパス吸込口１２は８ｃｍ２、風洞４の軸方向寸法は、４０ｍｍ、ベルマウス６の曲率はＲ５、遠心ディフューザー通路７の軸方向間隔は１８ｍｍである。軸流式送風機１３のモーター１５はコンデンサーランモーターで、消費電力２Ｗ程度のもので、回転数２０００／ｍｉｎ一定の送風性能での特性である。
【００１６】
図５における記号◆は、脱臭フィルター１１及びフィルター枠１０を取り除いたこの実施の形態の脱臭送風機の送風性能である。記号■は、バイパス吸込口１２を持たない場合の送風性能である。記号△は、脱臭フィルター１１及びバイパス吸込口１２を備えた脱臭送風機の送風性能である。脱臭フィルター１１の圧損は、機器組込み状態において概ね風量２５ｍ３／ｈ、静圧１３Ｐａ程度である。バイパス吸込口１２の無い場合、循環風量は２４ｍ３／ｈ、吹出し口８からの平均吹出風速は２．３ｍ／ｓである。脱臭フィルター１１が目詰まり状態になり、脱臭フィルター１１の圧損が新品の場合の約２倍になった場合の風量は、記号■の送風性能と脱臭フィルター１１の圧損、記号×の交点となり、１７．５ｍ３／ｈ程度に低下する。なお、騒音値については、１ｍ離れた時点で２５ｄＢ程度であり、調理キャビネットの収納スペース１９に収めれば全く問題ないレベルになる。すなわち、脱臭フィルター１１の目詰まりにより循環風量は３０％近く低下してしまう。
【００１７】
常時運転すると、脱臭フィルター１１も目詰まりしてしまうもので、循環風量が大きく低下してしまうことが問題である。調理キャビネットの収納スペース１９の臭気の除去は、内部の空気の滞りを防ぎ、攪拌し循環させるだけでも相当の効果が有る。特に、脱臭剤や除湿剤との併用では内部の空気を攪拌し循環させるだけで脱臭効果は倍増する。すなわち、脱臭フィルター１１の清掃、交換を忘れてしまい、脱臭フィルター１１の脱臭効果が低減してしまったような場合でも、空気の循環風量が確保されていれば脱臭効果にはさほど問題はなく、これをバイパス吸込口１２が実現している。
【００１８】
バイパス吸込口１２がある場合の特性について説明する。循環風量は、２９ｍ３／ｈで、吹出し口８からの平均吹出風速は約２．８ｍ／ｓである。脱臭フィルター１１が目詰まり状態になり、脱臭フィルター１１の圧損が新品の場合の約２倍になった場合の風量は、記号△の送風性能と脱臭フィルター１１＋バイパス吸込口１２の圧損、記号○の交点となり、２２ｍ３／ｈ程度に低下するのではない。脱臭フィルター１１の圧損は、動圧の何倍になるかということでこの常数を損失係数と呼んでいる。この脱臭送風機の脱臭フィルター１１の損失係数は約２０程度である。一方、バイパス吸込口１２の損失係数は１．５程度である。このため、脱臭フィルター１１＋バイパス吸込口１２の圧損は、脱臭フィルター部分の圧損は目詰まりにより２倍になるが、バイパス吸込口１２の圧損は増加しないため、脱臭フィルター１１が目詰まり状態になっても脱臭フィルター１１＋バイパス吸込口１２の圧損は図５の記号○の半分程度しか増加しない。このため、循環風量は２２ｍ３／ｈ程度に低下するのではなく、２５ｍ３／ｈ程度の低下となる。すなわち、脱臭フィルター１１の目詰まりにより、循環風量は１４％程度の低下ですみ、脱臭フィルター１１の目詰まり状態においても循環風量は２５ｍ３／ｈ程度になり、脱臭フィルター１１の目詰まりによる循環風量の変化は無視できる程となる。
【００１９】
次に、吹出し口８が三方向にあり、その一つが塞がれた場合の特性について図６によって説明する。吹出し口８の一つが塞がれた場合の大きさは、全ての吹出し口８が開放している場合の６７％になる。脱臭フィルター１１及びフィルター枠１０を取り除いた記号◆で示す脱臭送風機での送風性能は、三方向吹出しの状態の７５％になる。吹出し口８の大きさは三方向全てが開放されている場合の６７％になっているが、循環風量は７５％の低下になる。脱臭フィルター１１の圧損は、機器組込み状態において概ね風量２５ｍ３／ｈ、静圧１３Ｐａ程度である。バイパス吸込口１２がない場合、循環風量は２１ｍ３／ｈで、吹出し口８からの平均吹出風速は３．０ｍ／ｓである。三方向吹出しの場合に比較すると、循環風量は１２％低下するものの平均吹出風速は３０％増加するため調理キャビネット内の空気の攪拌効果はほぼ同等となる。バイパス吸込口１２がある場合、循環風量は２２．５ｍ３／ｈで、吹出し口８からの平均吹出風速は３．３ｍ／ｓである。三方向吹出しの場合に比較すると、循環風量は１０％増加する。すなわち、循環風量は低下するものの平均吹出風速が増加するため調理キャビネット内の空気の攪拌効果はほぼ同等となる。
【００２０】
なお、図７は三方向吹出しの場合で、側面から見た調理キャビネット内の気流の流れを示す側面図、図８は三方向吹出しの場合で、正面から見た調理キャビネット内の気流の流れを示す正面図、図９は三方向吹出しの場合で、上面から見た調理キャビネット内の気流の流れを示す平面図、図１０は二方向吹出しの場合で、側面から見た調理キャビネット内の気流の流れを示す側面図、図１１は二方向吹出しの場合で、正面から見た調理キャビネット内の気流の流れを示す正面図、図１２は二方向吹出しの場合で、上面から見た調理キャビネット内の気流の流れを示す平面図であり、これらいずれの図においても、調理キャビネット内全体に風速が発生しており、淀んだ空間もなく良好に収納スペース１９全体を攪拌できることが示されている。
【図面の簡単な説明】
【００２１】
【図１】脱臭送風機を示す斜視図。（実施の形態１）
【図２】脱臭送風機の側断面図である。（実施の形態１）
【図３】脱臭送風機の分解斜視図である。（実施の形態１）
【図４】脱臭フィルターの着脱を示す斜視図である。（実施の形態１）
【図５】三方向吹出しの場合の送風性能を他と比較して示す説明図である。（実施の形態１）
【図６】二方向吹出しの場合の送風性能を他と比較して示す説明図である。（実施の形態１）
【図７】三方向吹出しの場合で、側面から見た調理キャビネット内の気流の流れを示す側面図である。（実施の形態１）
【図８】三方向吹出しの場合で、正面から見た調理キャビネット内の気流の流れを示す正面図である。（実施の形態１）
【図９】三方向吹出しの場合で、上面から見た調理キャビネット内の気流の流れを示す平面図である。（実施の形態１）
【図１０】二方向吹出しの場合で、側面から見た調理キャビネット内の気流の流れを示す側面図である。（実施の形態１）
【図１１】二方向吹出しの場合で、正面から見た調理キャビネット内の気流の流れを示す正面図である。（実施の形態１）
【図１２】二方向吹出しの場合で、上面から見た調理キャビネット内の気流の流れを示す平面図である。（実施の形態１）
【図１３】他の形態を示す脱臭送風機の斜視図である。（実施の形態１）
【符号の説明】
【００２２】
１  本体ケーシング、  ４  風洞、  ５  吸込口、  ７  遠心ディフューザー通路、  ８  吹出し口、  ９  開口部、  １０  フィルター枠、  １１  脱臭フィルター、  １２  バイパス吸込口、  １３  軸流式送風機、  １８  凸部。
【図１】
2008185010.tif 000003
【図２】
2008185010.tif 000004
【図３】
2008185010.tif 000005
【図４】
2008185010.tif 000006
【図５】
2008185010.tif 000007
【図６】
2008185010.tif 000008
【図７】
2008185010.tif 000009
【図８】
2008185010.tif 000010
【図９】
2008185010.tif 000011
【図１０】
2008185010.tif 000012
【図１１】
2008185010.tif 000013
【図１２】
2008185010.tif 000014
【図１３】
2008185010.tif 000015